(57)【要約】  皮膚剥離装置は、スキンケアにおいて使用される。これは、軟毛及び角質を除去するために皮膚を横切ってなでるブレードを有する。本発明は、皮膚剥離装置のヘッドアセンブリを提供し、このアセンブリは、細長い端部を有するハウジングと、細長い端部の片側に沿って延びるブレードとを有するヘッドを備え、アセンブリは、ブレードをカバーするようにヘッド上に嵌合する取外し可能なキャップをさらに備え、キャップは、ブレードをカバーしかつヘッドへの取外し可能な取付け手段を有するブレードカバーと、１又は２以上の脆弱部によってブレードカバーに結合した脆弱タブとを備え、タブは、ヘッドへの取付けのためのラッチ機構を備え、ラッチ機構は、少なくとも１つの脆弱部が不可逆的に変形されない限りキャップを取り外すことができないように構成され、ヘッドへの取外し可能な取付け手段は、脆弱部の不可逆的な変形に続いてブレードカバーをヘッド上に保持するように引き続き機能するように配置される。【選択図】      図１
2020528317.tif 000002
【特許請求の範囲】
【請求項１】
細長い端部を有するハウジングと、前記細長い端部の片側に沿って延びるブレードとを有するヘッドを備える、皮膚剥離装置のヘッドアセンブリであって、
前記アセンブリは、前記ブレードをカバーするように前記ヘッド上に嵌合する取外し可能なキャップをさらに備え、前記キャップは、前記ブレードをカバーしかつ前記ヘッドへの取外し可能な取付け手段を有するブレードカバーと、１又は２以上の脆弱部によって前記ブレードカバーに結合した脆弱タブとを備え、前記タブは、前記ヘッドへの取り付けのためのラッチ機構を備え、前記ラッチ機構は、少なくとも１つの脆弱部が不可逆的に変形されない限り前記キャップを前記ヘッドから取り外すことができないように構成され、前記ヘッドへの取外し可能な取付け手段は、前記脆弱部の前記不可逆的な変形に続いて前記ブレードカバーを前記ヘッド上に保持するように引き続き機能するように配置される、アセンブリ。
【請求項２】
前記タブは、前記不可逆的な変形が前記ブレードカバーからの前記タブの完全な除去であるように構成される、請求項１に記載のアセンブリ。
【請求項３】
前記タブは、前記ブレードの反対側で前記キャップの側面から突出する、請求項１又は２に記載のアセンブリ。
【請求項４】
前記タブは、前記キャップに垂直な方向に延びると共に、少なくとも３ｍｍ、好ましくは少なくとも４ｍｍだけ延びる、請求項１から３のいずれかに記載のアセンブリ。
【請求項５】
前記タブは、単軸の回りの回転によって除去されるように構成される、請求項１から４のいずれかに記載のアセンブリ。
【請求項６】
前記単軸は、前記ブレードが延在する方向に平行である、請求項５に記載のアセンブリ。
【請求項７】
前記キャップは、前記単軸に平行な軸の回りで回転不能であるように前記ヘッド上に嵌合される、請求項１から６のいずれかに記載のアセンブリ。
【請求項８】
前記細長い端部は、前記ヘッドの中心線からオフセットしており、前記タブは、前記ヘッドの占有領域を超えて延出しない、請求項１から７のいずれかに記載のアセンブリ。
【請求項９】
前記キャップの両側には脆弱部がある、請求項１から８のいずれかに記載のアセンブリ。
【請求項１０】
前記脆弱部又はその各々は、前記キャップ内に薄肉壁領域を生成するノッチを備える、請求項１から９のいずれかに記載のアセンブリ。
【請求項１１】
前記キャップの各々の側面には２又は３以上のノッチがある、請求項１０に記載のアセンブリ。
【請求項１２】
前記キャップ及び前記ヘッドは、前記ラッチ機構をもたらす相補的な突出部及び凹部を有する、請求項１から１１のいずれかに記載のアセンブリ。
【請求項１３】
前記凹部は前記ヘッド内にあり、前記凹部は前記キャップ内にある、請求項１２に記載のアセンブリ。
【請求項１４】
前記ラッチ機構は、前記ラッチ機構のスナップ嵌めをもたらすように前記キャップを前記ヘッド上に圧入することで係合可能である、請求項１から１３のいずれかに記載のアセンブリ。
【請求項１５】
前記ヘッドアセンブリは、皮膚剥離装置の本体に取り付けるための取付け機構を有する、請求項１から１４のいずれかに記載のアセンブリ。
【発明の詳細な説明】
【技術分野】
【０００１】
本発明は、家庭用皮膚剥離装置の改善に関する。
【背景技術】
【０００２】
皮膚剥離装置は、スキンケアにおいて使用される。これは、軟毛及び角質を除去するために皮膚を横切ってなでるブレードを有する。一般に、皮膚剥離処置は、皮膚を横切って、保護されていないブレードを擦り付ける（scrape）ことができる専門家によって行われる。
【０００３】
最近では、米国特許公開番号２０１５／００７３４３８などに開示された複数の家庭用装置が開発されている。この装置はブレードアッセンブリを有し、ブレードアッセンブリは、使用していない時にこれを保護するために取外し可能なキャップでカバーされている。
【先行技術文献】
【特許文献】
【０００４】
【特許文献１】米国特許公開番号２０１５／００７３４３８
【発明の概要】
【課題を解決するための手段】
【０００５】
本発明は、請求項１に記載の皮膚剥離装置のヘッドアセンブリを提供する。
１又は２以上の脆弱部によってブレードカバーに結合可能なタブを提供することで、本発明は、ユーザに対してブレードが新品でありかつ手が付けられていないことの可視指示を提示する。しかしながら、キャップは、タブの除去後でも作動可能なままである取外し可能な取付けのための手段が存在すると、依然として取外し可能なキャップとして機能して継続的にブレードアッセンブリを保護する。
【０００６】
好ましくは、タブは、不可逆的な変形が、最初の使用の良好な可視指示をもたらすので、ブレードカバーからのタブの完全な除去を必要とするように構成される。しかしながら、この変形が可視的に容易に見える場合、脆弱部は、タブを完全に除去することなく何らかの他の方法で塑性的に変形することができる。
【０００７】
タブは、可視的に非常に特徴的であること及び比較的除去が容易であることが望ましい。このため、タブは、ブレードの反対側でキャップの側面から突出することが好ましい。好ましくは、タブは、キャップに垂直な方向で延びると共に少なくとも３ｍｍ、好ましくは少なくとも４ｍｍだけ突出する。好ましくは、タブは、単軸の回りの回転によって除去されるように構成される。好ましくは、この単軸は、ブレードが延在する方向に平行である。好ましくは、キャップは、単軸に平行な軸の回りで回転不能であるようにヘッド上に嵌合される。
【０００８】
ヘッドへのキャップの取外し可能な取付けのための手段は、摩擦嵌合とすることができ、これは逆さの場合でもキャップを所定位置に保持することができる。代替的に又は追加的に、これはスナップ嵌め又はより複雑なラッチ機構とすることができる。
【０００９】
好ましくは、細長い端部は、ヘッドの中心線からオフセットしており、タブは、ヘッドの占有領域を超えて延出しない。これにより、ヘッドの占有領域を増やすことなく比較的大型のタブを適応させることができる。
【００１０】
好ましくは、脆弱部又は各脆弱部は、キャップ内に薄肉壁領域を生成するノッチを備える。好ましくは、キャップの各々の側面には２又は３以上のノッチがある、
【００１１】
好ましくは、キャップ及びヘッドは、ラッチ機構をもたらす相補的な突出部及び凹部を有する。この場合、好ましくは、凹部はヘッド内にあり、凹部はキャップ内にある。
【００１２】
好ましくは、ラッチ機構は、該ラッチ機構のスナップ嵌めをもたらすようにキャップをヘッド上に圧入することで係合可能である。これは、脆弱部を変形又は破壊してキャップを取り外してブレードを露出させる際の装置の最初の使用の前に、キャップをヘッド上に嵌合するための簡単な方法を可能にする。
【００１３】
ヘッドアセンブリは、皮膚剥離装置に永久に取り付けることができる。しかしながら、好ましくは、ヘッドアセンブリは、皮膚剥離装置の本体に取り付けるための取付け機構を有する。
【００１４】
本発明の皮膚剥離装置のヘッドアセンブリの実施例は、以下に添付図面を参照して説明される。
【図面の簡単な説明】
【００１５】
【図１】第１の角度からのヘッドアセンブリの斜視図であり、キャップは透明に示されている。
【図２】本体に取り付けられたヘッドアセンブリの側面図である。
【図３】本体に取り付けられたヘッドアセンブリの第２の角度からの斜視図である。
【図４】ヘッドを含む皮膚剥離装置の正面図である。
【図５】図４の装置の上面図である。
【図６】図４の装置の側面図である。
【図６Ａ】図６の領域６Ａで示された図６のヘッドの拡大図である。
【図７】図４の装置の上方から斜視図である。
【図８】軸平面においてヘッドを通る断面図である。
【発明を実施するための形態】
【００１６】
ヘッド１は、取付け部材２を備え、これによってヘッド１は、図２及び３で示すように本体３に取り付けられる。最も簡単な実施例において、ブレードは、単一の真っ直ぐなブレード４である。しかしながら、代替的に、ブレードアッセンブリは、鋸歯状エッジを有する２つのブレード部を備えることができる。一方のブレード部は固定したままとして、他方が振動して鋸歯状エッジの間の剪刀作用を生じることができ、又は２つのブレード位置を互いに対して固定として単一ユニットとして振動することができる。従って、本体３は、バッテリなどの電源と、装置の作動を可能にするスイッチと、必要な制御回路及びヘッドへの電気接続部と接続するための配線とを含むことができ、例えば、Ｖｅｅｔ  Ｓｅｎｓｉｔｉｖｅ  Ｐｒｅｃｉｓｉｏｎ（商標）装置で従来知られている方式でブレードアッセンブリの振動を引き起こすようになっている。
【００１７】
ヘッド１は、一対の凹型把持表面を有する概して細長い形状の主本体５と、僅かに傾斜して延びるが、本体３から離れる方向でほぼ軸方向に延びる軸方向端部６とを備える。軸方向端部６は、図４及び５に示すように概して比較的平らである。さらに、図２、６、及び６Ａから分かるように、これは主本体３の軸線からオフセットしている。軸方向端部６は、その片側に沿って延びるブレード４を備える。
【００１８】
本発明は、このようなヘッド１用のキャップ７の適用に関する。
キャップ７は、２つの主部分、すなわちブレードカバー８及びタブ９を備える。ブレードカバー８は、キャップの主本体を形成して、ブレード４を含むヘッド１の軸方向端部６の大部分をカバーする。
【００１９】
ブレードカバー８は、軸方向端部６上での締まりばめが意図されており、タブ９がない場合、これは軸方向端部６に取外し可能に保持されることになる。しかしながら、より頑丈であるが可逆的な結合をもたらすために、例えば、ブレードカバー８とヘッド１との間に（軸方向端部６における）相補的な突出部及び凹部の形態のラッチ機構を備えることができる。
代替的に、キャップ７は、軸方向端部６をしっかりつかむために互いに向かって弾性的に付勢されるブレードカバー８の側面で保持することができる。
【００２０】
タブ９は、下側及び上側脆弱部１０、１１によってブレードカバー８に結合される。
下側脆弱部１０は、タブ９の両側にある一対の薄肉材料領域１２の形をとり、この薄肉材料領域が壊れた場合にタブ９がブレードカバー８から外れるようになっている。同様に、上側脆弱部１１は、図６Ａに明示されるように、この場合もタブ９の両側に薄肉壁部１４を形成する一対の細長いスロット１３によって形成される。この場合も、薄肉部１４の材料が剪断されるとタブ９はブレードカバー８から外れる。
【００２１】
各図面から分かるように、タブ９は、直接ブレードカバー８から離れて突出し、少なくともブレードカバー８自体と同じ幅であり、非常に視覚的に明白な特徴を示す。前述のように、軸方向端部６は、本体３の中心軸からかなりの程度でオフセットする。タブ９はかなりの程度まで延びるが、本体３の占有領域を超えて突出しないので装置に必要な棚スペースは増えない。
【００２２】
タブ９は、肩部１５（図８に詳細に示される）を有し、これは、対応するヘッド１上の凹部１６に納まり、タブ９が所定位置にある場合にキャップ７がヘッド１から外れるのを防ぐようになっている。キャップ７は、十分に変形可能であり、ヘッド１上に圧入することができ、相補的な肩部１５は、脆弱部１０を破壊することなく凹部１６に係合する状態になることができる。しかしながら、肩部１５が凹部１６の中に配置されると、キャップ７は、脆弱部１０、１１のうちの少なくとも一方を破壊することなく取り外すことはできない。
【００２３】
ユーザには、図面に示す形態のヘッド１が提供される。ユーザは、非常に特徴的なタブ９からキャップ７が取り外されていないことがすぐに分かる。ユーザが最初に装置を使用しようとする場合、ブレード４の延長部の方向に略平行な脆弱部１０、１１を通る軸の回りで大きなタブ９を回転させることで、容易に使用することができる。キャップ７は、非円形断面であり脆弱部１０、１１を破壊するためにタブ９を回転させる場合に回転しないことになる。下側脆弱部１０を外すと、肩部１５も凹部１６から外れるので、キャップ７をヘッド１上に保持するための唯一の機構としての締まりばめが残る。その後、タブ９は廃棄することができ、続いてユーザは任意にブレードカバー８を取り外すこと及び元の位置に戻すことができる。
【図１】
2020528317.tif 000003
【図２】
2020528317.tif 000004
【図３】
2020528317.tif 000005
【図４】
2020528317.tif 000006
【図５】
2020528317.tif 000007
【図６】
2020528317.tif 000008
【図６Ａ】
2020528317.tif 000009
【図７】
2020528317.tif 000010
【図８】
2020528317.tif 000011
【国際調査報告】
2020528317.tif 000012
2020528317.tif 000013
2020528317.tif 000014